(57)【要約】【課題】細径な構成と広帯域特性の双方を実現することができる水平偏波無指向性アンテナを提供する。【解決手段】  水平面を中心として対称に配置された第１、第２の２巻先端開放型ループアンテナ素子（１，２）と、第１、第２の２巻先端開放型ループアンテナ素子（１，２）を接続する平行線路（３）と、を備え、平行線路（３）の中央部において給電される。【選択図】  図１
2015065619.tif 000002
【特許請求の範囲】
【請求項１】
水平面を中心として対称に配置された第１、第２の２巻先端開放型ループアンテナ素子と、
前記第１、第２の２巻先端開放型ループアンテナ素子を接続する平行線路と、を備え、
前記平行線路の中央部において給電するようにしたことを特徴とする水平偏波無指向性アンテナ。
【請求項２】
前記第１、第２の２巻先端開放型ループアンテナ素子の一方もしくは双方における上ループ部と下ループ部間に無給電素子を配設したことを特徴とする請求項１に記載の水平偏波無指向性アンテナ。
【請求項３】
前記無給電素子の長さは、前記第１、第２の２巻先端開放型ループアンテナ素子の各ループ部のそれよりも小さく設定されていることを特徴とする請求項２に記載の水平偏波無指向性アンテナ。
【請求項４】
水平面を中心として対称に配置された第１、第２の２巻先端開放型ループアンテナ素子と、
前記第１、第２の２巻先端開放型ループアンテナ素子を接続する平行線路と、を備え、
上段に位置する前記第１の２巻先端開放型ループアンテナ素子の上ループ部と下段に位置する前記第２の２巻先端開放型ループアンテナ素子の下ループ部の一方もしくは双方を、水平面内で並行する２つのループ線路によって二重に形成し、
前記平行線路の中央部において給電するようにしたことを特徴とする水平偏波無指向性アンテナ。
【請求項５】
前記並行する２つのループ線路の内の外側に位置するループ線路の長さは、前記第１の２巻先端開放型ループアンテナ素子の下ループ部及び前記第２の２巻先端開放型ループアンテナ素子の上ループ部のそれと等しくなるように設定されていることを特徴とする請求項４に記載の水平偏波無指向性アンテナ。
【請求項６】
前記第１、第２の２巻先端開放型ループアンテナ素子の一方もしくは双方における上ループ部と下ループ部間に無給電素子を配設したことを特徴とする請求項４に記載の水平偏波無指向性アンテナ。
【請求項７】
前記並行する２つのループ線路の内の外側に位置するループ線路の長さは、前記第１の２巻先端開放型ループアンテナ素子の下ループ部及び前記第２の２巻先端開放型ループアンテナ素子の上ループ部のそれと等しくなるように設定され、
前記無給電素子の長さは、前記外側に位置するループ線路のそれよりも小さく設定されていることを特徴とする請求項６に記載の水平偏波無指向性アンテナ。
【発明の詳細な説明】
【技術分野】
【０００１】
本発明は、移動通信システムの基地局用アンテナとして好適に使用することができる水平偏波無指向性アンテナに関する。
【背景技術】
【０００２】
移動通信システムでは、比較的加入者容量の少ない場所で使用する基地局用アンテナとして、あるいは、セル半径が非常に小さいときに使用する基地局用アンテナとして、水平面内無指向性アンテナが適用される。
この水平面内無指向性アンテナは、基地局設置コストの低減や、受風荷重軽減のために可能な限り細径化することが望ましい。そこで、このような要望を満たすための水平偏波無指向性アンテナが特許文献１によって提案されている。
【先行技術文献】
【特許文献】
【０００３】
【特許文献１】特開２０１２−４９８６４号公報
【発明の概要】
【発明が解決しようとする課題】
【０００４】
移動通信システムの基地局用アンテナでは、設置場所の制限等の理由により、複数の周波数を共用する機能を要求されることが多い。そして、この周波数を共用する基地局アンテナにおいては、それに見合う比帯域を必要とする。
しかし、特許文献１に記載の水平偏波無指向性アンテナは、細径化は可能であるものの、周波数を共用する場合に必要とする広い比帯域を実現することができないという問題がある。
【０００５】
そこで、本発明は、細径な構成と広帯域特性の双方を実現することができる水平偏波無指向性アンテナを提供することを目的とする。
【課題を解決するための手段】
【０００６】
第１の発明に係る水平偏波無指向性アンテナは、上記目的を達成するため、水平面を中心として対称に配置された第１、第２の２巻先端開放型ループアンテナ素子と、前記第１、第２の２巻先端開放型ループアンテナ素子を接続する平行線路と、を備え、前記平行線路の中央部において給電するように構成されている。
【０００７】
この第１の発明の一態様では、前記第１、第２の２巻先端開放型ループアンテナ素子の一方もしくは双方における上ループ部と下ループ部間に無給電素子が配設される。この場合、前記無給電素子の長さは、前記第１、第２の２巻先端開放型ループアンテナ素子の各ループ部のそれよりも小さく設定することが望ましい。
【０００８】
第２の発明に係る水平偏波無指向性アンテナは、水平面を中心として対称に配置された第１、第２の２巻先端開放型ループアンテナ素子と、前記第１、第２の２巻先端開放型ループアンテナ素子を接続する平行線路と、を備え、上段に位置する前記第１の２巻先端開放型ループアンテナ素子の上ループ部と下段に位置する前記第２の２巻先端開放型ループアンテナ素子の下ループ部の一方もしくは双方を、水平面内で並行する２つのループ線路によって二重に形成し、前記平行線路の中央部において給電するように構成されている。
【０００９】
この第２の発明の一態様では、前記並行する２つのループ線路の内の外側に位置するループ線路の長さが、前記第１の２巻先端開放型ループアンテナ素子の下ループ部及び前記第２の２巻先端開放型ループアンテナ素子の上ループ部のそれと等しくなるように設定され。
また、この第２の発明の別の態様では、前記第１、第２の２巻先端開放型ループアンテナ素子の一方もしくは双方における上ループ部と下ループ部間に無給電素子が配設される。
前記のように、並行する２つのループ線路の内の外側に位置するループ線路の長さが、前記第１の２巻先端開放型ループアンテナ素子の下ループ部及び前記第２の２巻先端開放型ループアンテナ素子の上ループ部のそれと等しくなるように設定される場合、前記無給電素子の長さは、前記外側に位置するループ線路のそれよりも小さく設定することが望ましい。
【発明の効果】
【００１０】
本発明によれば、第１、第２の２巻先端開放型ループアンテナが水平面を中心として対称に配置されるので、細径に構成することができる。また、第１、第２の２巻先端開放型ループアンテナが平行線路を介して合成されるので、インピーダンス整合の自由度が向上され、その結果、使用周波数帯域の中心周波数の波長に比して非常に小さい径寸法を持つように構成する場合においても、容易にインピーダンス整合をとることができる。そして、この整合性の向上は、広帯域化に寄与する。
【図面の簡単な説明】
【００１１】
【図１】本発明に係る水平偏波無指向性アンテナの第１の実施形態を示す斜視図である。
【図２】本発明に係る水平偏波無指向性アンテナの第２の実施形態を示す斜視図である。
【図３】本発明に係る水平偏波無指向性アンテナの第３の実施形態を示す斜視図である。
【図４】本発明に係る水平偏波無指向性アンテナの第４の実施形態を示す斜視図である。
【図５】実施例に係る水平偏波無指向性アンテナのＶＳＷＲ特性を示すグラフである。
【図６】実施例に係る水平偏波無指向性アンテナの周波数７１８ＭＨｚについての水平面内指向性を示すグラフである。
【図７】実施例に係る水平偏波無指向性アンテナの周波数８９０ＭＨｚについての水平面内指向性を示すグラフである。
【発明を実施するための形態】
【００１２】
以下、図面を参照しながら本発明の実施の形態について説明する。
図１は、本発明に係る水平偏波無指向性アンテナの第１の実施形態を示す斜視図である。このアンテナは、垂直方向に所定の間隔をおいて配置された２つの２巻先端開放型ループアンテナ素子１，２と、これらの２巻先端開放型ループアンテナ素子１，２を接続する平行線路３とを備えている。
【００１３】
２巻先端開放型ループアンテナ素子１，２は、水平面を中心として対称に配置されている。従って、上段の２巻先端開放型ループアンテナ素子１の上ループ部４及び下ループ部５は、それぞれ下段の２巻先端開放型ループアンテナ素子３の下ループ部７及び上ループ部６に対応している。
平行線路３は、２巻先端開放型ループアンテナ素子１，２の給電部間に介在されるように垂直に設けられている。そして、本実施形態の水平偏波無指向性アンテナは、この平行線路３の中央部において給電される。
【００１４】
水平に配置された上記各ループ部４〜７の長さは、それぞれ使用周波数帯域の中心周波数の波長の約１／２に設定されている。従って、本実施形態に係るアンテナは、使用周波数帯域の水平偏波を送受信する無指向性アンテナとしての機能を有する。
また、本実施形態に係るアンテナは、２巻先端開放型ループアンテナ素子１，２を垂直方向に同軸配置した構成を有するので、細径に構成することができる。更に、２巻先端開放型ループアンテナ素子１，２が平行線路３を介して合成されることから、インピーダンス整合の自由度が向上され、その結果、使用周波数帯域の中心周波数の波長に比して非常に小さい径寸法を持つように構成する場合においても、容易にインピーダンス整合をとることができる。そして、この整合性の向上は、広帯域化に寄与する。
【００１５】
図２に本発明に係る水平偏波無指向性アンテナの第２の実施形態を示す。本実施形態のアンテナは、２巻先端開放型ループアンテナ素子１，２のそれぞれに無給電素子８，９を配置した点において図１に示すアンテナと相違する。無給電素子８は、上段の２巻先端開放型ループアンテナ素子１の各ループ部４，５の中間に水平配置され、同様に、無給電素子９は、下段の２巻先端開放型ループアンテナ素子２の各ループ部６，７の中間に水平配置されている。無給電素子８，９は、ループ部４〜７と相似な形状を有している。
本実施形態に係るアンテナによれば、無給電素子８，９がその長さに応じた周波数で共振することになるので、その長さを適宜設定することにより、図１のアンテナよりも広帯域な特性を得ることができる。なお、本実施形態では、無給電素子８，９の長さをループ部４〜７の長さよりも短く設定している。
【００１６】
図３に本発明に係る水平偏波無指向性アンテナの第３の実施形態を示す。本実施形態に係るアンテナは、図１のアンテナの２巻先端開放型ループアンテナ素子１、２及び平行線路３に対応する２巻先端開放型ループアンテナ素子１０、２０及び平行線路３０をそれぞれ備えている。
上段の２巻先端開放型ループアンテナ素子１０の上ループ部４０は、水平面内で並行する２つのループ線路４０ａ，４０ｂによって二重に形成され、同様に、下段の２巻先端開放型ループアンテナ素子２０の下ループ部７０も、水平面内で並行する２つのループ線路７０ａ，７０ｂによって二重に形成されている。
【００１７】
上記ループ線路４０ａ，７０ａは、ループ部５０，６０と同じ長さを有している。そして、ループ線路４０ａ，７０ａの内側に位置したループ線路４０ｂ，７０ｂは、ループ線路４０ａ，７０ａよりも長さが短い。このことは、ループ線路４０ｂ，７０ｂがループ線路４０ａ，７０ａの共振周波数よりも高い周波数に対して共振することを意味している。この結果、本実施形態のアンテナによれば、図１のアンテナよりも広帯域な特性を得ることができる。
【００１８】
図４に本発明に係る水平偏波無指向性アンテナの第４の実施形態を示す。本実施形態に係るアンテナは、図３の２巻先端開放型ループアンテナ素子１０，２０に無給電素子８０，９０をそれぞれ付加した点においてこの図３に示すアンテナと構成が相違する。
無給電素子８０，９０は、図２に示す無給電素子８，９に対応するものであるから、その形状及び配置形態等についての説明を省略する。
本実施形態に係る水平偏波アンテナも、無給電素子８０，９０がその長さに応じた周波数で共振することになるので、この無給電素子８０，９０の長さを適宜設定することにより、図３のアンテナよりも広帯域な特性を得ることができる。
なお、本実施形態では、無給電素子８０の長さがループ線路４０ａ、４０ｂの各長さの間の長さ、あるいは、ループ線路４０ｂの長さよりも短い長さに設定されている。無給電素子９０も上記に準じた長さに設定されている。
【００１９】
次に、図４に係るアンテナの具体的な実施例を以下に示す。
[実施例]
ループ線路４０ａ，７０ａ、ループ部５０，６０の各長さを７００ＭＨｚ帯の中心周波数の波長の約１／２に設定する。
ループ線路４０ｂ，７０ｂの各長さを８００ＭＨｚ帯の中心周波数の波長の約１／２に設定する。
無給電素子８０，９０の長さを８００ＭＨｚ帯の中心周波数よりも高い周波数（例えば、８７５ＭＨｚ近辺）の波長の約１／２に設定する。
【００２０】
本実施例に係るアンテナによれば、図５に示すＶＳＷＲ(定在波比)特性から明らかように、７００ＭＨｚ帯と８００ＭＨｚ帯を共用する周波数帯において必要とする広い帯域特性（比帯域２１％：ＶＳＷＲ＜２）を得ることができる。また、本実施例に係るアンテナによれば、図６、図７に７１８ＭＨｚ，８９０ＭＨｚについての水平面内指向性をそれぞれ示すように、良好な水平面内無指向性を得ることができる。
更に、本実施例に係るアンテナによれば、図５に示す周波数範囲７１８ＭＨｚ〜８９０ＭＨｚの中心周波数８０４ＭＨｚの波長が３７３．１３ｍｍであることから、０．１５×３７３．１３≒５５ｍｍの内径を有する円筒レドーム内に収納することが可能となる。
【００２１】
本発明は上記実施形態の構成に限定されず、以下に例示するような変形態様をも含み得るものである。
（ａ）図２に示す実施形態では、２巻先端開放型ループアンテナ素子１，２のそれぞれに無給電素子８，９を配置しているが、該２巻先端開放型ループアンテナ素子１，２の内のいずれか一方のみに無給電素子を配置するようにしてもよい。図４に示す実施形態においても同様である。
（ｂ）図２に示す無給電素子８，９の長さは、ループ部４〜７のそれよりも大きく設定してもよいが、アンテナ径を抑制するという観点からすると、ループ部４〜７の長さよりも小さく設定することが望ましい。図４に示す無給電素子８０，９０も同様である。
（ｃ）図３、図４に示す各実施形態では、上段の２巻先端開放型ループアンテナ素子１０の上ループ部４０と下段の２巻先端開放型ループアンテナ素子２０の下ループ部７０をそれぞれ二重構造となるように形成しているが、上記上ループ部４０，７０の内のいずれか一方のみを二重構造に形成してもよい。
（ｄ）図３、図４に示すループ線路４０ｂ、７０ｂの長さは、ループ線路４０ａ、７０ａのそれよりも大きく設定してもよいが、アンテナ径を抑制するという観点からすると、ループ線路４０ａ、７０ａの長さよりも小さく設定することが望ましい。
【符号の説明】
【００２２】
１，２  ２巻先端開放型ループアンテナ素子
３  平行線路
４，６  上ループ部
５，７  下ループ部
８，９  無給電素子
１０，２０  ２巻先端開放型ループアンテナ素子
３０  平行線路
４０，６０  上ループ部
４０ａ，４０ｂ  ループ線路
５０，７０  下ループ部
７０ａ，７０ｂ  ループ線路
８０，９０  無給電素子
【図１】
2015065619.tif 000003
【図２】
2015065619.tif 000004
【図３】
2015065619.tif 000005
【図４】
2015065619.tif 000006
【図５】
2015065619.tif 000007
【図６】
2015065619.tif 000008
【図７】
2015065619.tif 000009
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
水平面を中心として対称に配置された第１、第２の２巻先端開放型ループアンテナ素子と、
前記第１、第２の２巻先端開放型ループアンテナ素子を接続する平行線路と、を備え、
前記第１、第２の２巻先端開放型ループアンテナ素子の一方もしくは双方における上ループ部と下ループ部間に無給電素子を配設し、
前記平行線路の中央部において給電するようにしたことを特徴とする水平偏波無指向性アンテナ。
【請求項２】
前記無給電素子の長さは、前記第１、第２の２巻先端開放型ループアンテナ素子の各ループ部のそれよりも小さく設定されていることを特徴とする請求項１に記載の水平偏波無指向性アンテナ。
【請求項３】
水平面を中心として対称に配置された第１、第２の２巻先端開放型ループアンテナ素子と、
前記第１、第２の２巻先端開放型ループアンテナ素子を接続する平行線路と、を備え、
上段に位置する前記第１の２巻先端開放型ループアンテナ素子の上ループ部と下段に位置する前記第２の２巻先端開放型ループアンテナ素子の下ループ部の一方もしくは双方を、水平面内で並行する２つのループ線路によって二重に形成し、
前記平行線路の中央部において給電するようにしたことを特徴とする水平偏波無指向性アンテナ。
【請求項４】
前記並行する２つのループ線路の内の外側に位置するループ線路の長さは、前記第１の２巻先端開放型ループアンテナ素子の下ループ部及び前記第２の２巻先端開放型ループアンテナ素子の上ループ部のそれと等しくなるように設定されていることを特徴とする請求項３に記載の水平偏波無指向性アンテナ。
【請求項５】
前記第１、第２の２巻先端開放型ループアンテナ素子の一方もしくは双方における上ループ部と下ループ部間に無給電素子を配設したことを特徴とする請求項３に記載の水平偏波無指向性アンテナ。
【請求項６】
前記並行する２つのループ線路の内の外側に位置するループ線路の長さは、前記第１の２巻先端開放型ループアンテナ素子の下ループ部及び前記第２の２巻先端開放型ループアンテナ素子の上ループ部のそれと等しくなるように設定され、
前記無給電素子の長さは、前記外側に位置するループ線路のそれよりも小さく設定されていることを特徴とする請求項５に記載の水平偏波無指向性アンテナ。
【手続補正２】
【補正対象書類名】明細書
【補正対象項目名】０００６
【補正方法】変更
【補正の内容】
【０００６】
第１の発明に係る水平偏波無指向性アンテナは、上記目的を達成するため、水平面を中心として対称に配置された第１、第２の２巻先端開放型ループアンテナ素子と、前記第１、第２の２巻先端開放型ループアンテナ素子を接続する平行線路と、を備え、前記第１、第２の２巻先端開放型ループアンテナ素子の一方もしくは双方における上ループ部と下ループ部間に無給電素子を配設し、前記平行線路の中央部において給電するように構成されている。
【手続補正３】
【補正対象書類名】明細書
【補正対象項目名】０００７
【補正方法】変更
【補正の内容】
【０００７】
この第１の発明において、前記無給電素子の長さは、前記第１、第２の２巻先端開放型ループアンテナ素子の各ループ部のそれよりも小さく設定することが望ましい。